(57)【特許請求の範囲】
【請求項１】
電磁波シールドルームの出入り口に設ける電磁波シールドシャッターであって、
前記出入り口の電磁波を遮蔽可能なシート状の電磁波シールド部材と、前記出入り口の上方部に設けられ前記電磁波シールド部材を上下方向に開閉させるシールド部材開閉手段と、前記出入り口の上方部に設けられ前記シールド部材開閉手段を支持する開閉手段支持部材と、この開閉手段支持部材の下面と前記電磁波シールドルームの床面上との間にわたって架けわたすと共に前記電磁波シールド部材の開閉時に当該電磁波シールド部材の幅方向両端を案内する導電性部材からなる一対のガイド部材と、を備えて構成し、
前記電磁波シールド部材の下端部に、棒状又は筒状から成る形状の重りを常時収容して成る重り収容部を設けると共に、前記一対のガイド部材を前記電磁波シールド部材の表面と直交する側面視で傾斜させて設け、
前記一対のガイド部材の内部に、前記電磁波シールド部材の幅方向両端を案内する傾斜ガイド溝を形成すると共に、
この傾斜ガイド溝を、前記開口部が前記電磁波シールド部材によって遮蔽された場合に電磁遮蔽として機能するシールド用溝部と、当該シールド用溝の奥で当該シールド用溝の外側の側壁に沿って設けられ且つ前記電磁波シールド部材の開閉動作時に当該電磁波シールド部材の下端部の両端部から突設された被ガイド部材を案内する幅の狭い部材移動用溝部とによる２段構造としたことを特徴とする電磁波シールドシャッター。
【請求項２】
前記請求項１に記載の電磁波シールドシャッターにおいて、
前記シールド部材開閉手段を、前記電磁波シールド部材を巻き付けるドラムと、このドラムを回転駆動させて前記電磁波シールド部材を上下方向に開閉させるドラム回転駆動機構とを備えて構成したことを特徴とする電磁波シールドシャッター。
【請求項３】
前記請求項１又は２に記載の電磁波シールドシャッターにおいて、
前記一対のガイド部材の傾斜を、当該ガイド部材の上端に対して下端が前記電磁波シールドルームの外側に突き出された直線状の傾斜としたことを特徴とする電磁波シールドシャッター。
【請求項４】
前記請求項１に記載の電磁波シールドシャッターにおいて、
前記一対のガイド部材の下方の端部に垂直部を設けると共に、この垂直部における前記傾斜ガイド溝の部材移動用溝部の幅を前記シールド用溝部の幅と同一としたことを特徴とする電磁波シールドシャッター。
【請求項５】
前記請求項１乃至４のいずれか一つに記載の電磁波シールドシャッターにおいて、
前記電磁波シールド部材を、シート状のシート本体とこのシート本体の少なくとも前記電磁波シールドルーム側に張り付けられたシート状の導電性シートとを含む構成とし、
この導電性シートを含む前記シート本体の下端部を断面袋状に形成したことを特徴とする電磁波シールドシャッター。
【請求項６】
前記請求項５に記載の電磁波シールドシャッターにおいて、
前記導電性シートの幅方向の両端部に、導電性部材から成り凹凸状に変化する波形に形成されたギャザーを長さ方向の全長にわたって取り付けたことを特徴とする電磁波シールドシャッター。
【請求項７】
前記請求項１乃至６のいずれか一つに記載の電磁波シールドシャッターにおいて、
前記重り収容部内の重りを紐又は布等の屈曲性部材を介して前記シート本体の下側部分に一体的に垂下装備したことを特徴とする電磁波シールドシャッター。
【請求項８】
前記請求項１に記載の電磁波シールドシャッターにおいて、
前記重りを金属製の丸パイプで形成すると共に、当該重りの両端部で当該重りと同軸上に支持棒を突設し、
この突設された各支持棒部分を、それぞれ前記被ガイド部材としたことを特徴とする電磁波シールドシャッター。
【請求項９】
前記請求項７又は８に記載の電磁波シールドシャッターにおいて、
前記重り収納部の内面の下方部に、前記重りが前記床面に到達したとき生じる緩衝を吸収する緩衝部材を装備したことを特徴とする電磁波シールドシャッター。
【請求項１０】
前記請求項３に記載の電磁波シールドシャッターにおいて、
前記ガイド部材の傾斜を、当該ガイド部材の中央部が前記電磁波シールドルームの外側に膨らんだ円弧状の傾斜としたことを特徴とする電磁波シールドシャッター。
【請求項１１】
前記請求項１乃至９のいずれか一つに記載の電磁波シールドシャッターにおいて、
前記ガイド部材の傾斜を、当該ガイド部材の下端部を内側に向けて突き出して得られる傾斜としたことを特徴とする電磁波シールドシャッター。
【発明の詳細な説明】
【技術分野】
【０００１】
本発明は電磁波シールドシャッターに係り、さらに詳しくは、電磁波をシールドする電磁波シールドルームの出入り口に用いられ、簡単な構成で、出入りに際して高速で開閉することができ、電磁波の侵入を有効に遮蔽できる電磁波シールドシャッターに関する。
【背景技術】
【０００２】
近年、電子機器が発達し、その内容のデジタル化と共に装置全体が小型化して当該電子機器が微小電力で動作するようになると、動作信号が微細化することから、電子機器自体が発生する電磁波や、他の電子機器等から発信される妨害電波によって当該動作信号が乱される場合が生じる。
このため、昨今にあっては、電子機器が障害電波を発生して周囲の電子機器に悪影響を及ぼすことのないように、また、外部からの妨害電波に対して電子機器が誤動作しないように、電磁波を遮断すること（電磁波シールド）の必要が高まっている。
【０００３】
このため、かかる状況の中で、昨今にあっては、半導体製造工場や病院等では、機器の誤動作を防ぐために、クリーンルームや集中治療室をシールドルーム化する場合が多い。この場合、特にドアの開口部（シールドルームの出入り口）での電磁遮蔽が重要視され、シールドルームにおける電磁波の漏れの多くが、このドアー部分に集中しているといわれている。
【０００４】
また、半導体製造工場や病院等に限らず、例えば自動車の電子化も進み、殆どの自動車には電子機器が搭載されている。そのため、自動車の電子機器の検査が必要となっている。この場合、自動車の生産工程は量産化のために生産ラインが組まれている。このため、自動車に搭載される電子機器の検査は、生産ラインに組み込まれた電磁波シールドルーム内で行なうようになりつつある。
ここで、生産ラインの流れは、生産効率を上げるために可能な限り速く設定されており、例えば秒オーダーで検査が行なわれている。このスピードの流れを維持するためには、電磁波シールドルームの出入り口用のシャッターを、電磁波シールド構造とすると共に、秒オーダーで開閉できるような構造としなければならない。
【０００５】
従来の電磁波シールドシャッターとしては、上下に連接された金属製スラッターで構成されたものがある。このタイプでは、金属製スラッターを開閉させなければならず、重いこともあって、例えば秒オーダーの高速でシャッターを開閉することは困難であった。
また、シャッター幕が柔らかいシート状のシートで構成されている一般的なシートシャッターは、高速の開閉が可能となり、高い耐久性を持ち、ローコストの条件を備えているが、電磁波シールド機能を有していない。
【０００６】
上述したような状況において、シールドルームの出入り口用として、シート状のスクリーンを用いたシャッター装置が知られている（例えば、特許文献１参照）。又、シート状の電磁波遮蔽幕を用いてシールドルームの窓部を閉塞する技術も知られている（例えば、特許文献２参照）。
【０００７】
この場合、特許文献１に開示されたシャッター装置は、図１７又は図１８に示すように、シールドルーム１０１の出入り口１０３の周囲に導電性の固定枠１１５を設け、この固定枠１１５と対峙させて可動枠１２９を配置し、これら固定枠１１５と可動枠１２９との間に、シート状のシールドスクリーン１１７を昇降可能に配置して構成されている。シールドスクリーン１１７は、シャッター開閉機１１９により昇降されるようになっている。また、これらの固定枠１１５と可動枠１２９との下端は、構造床１１１の凹部１１３内に埋設されている。
そして、シールドスクリーン１１７を下降させ出入り口１０３を閉鎖したとき、ジャッキ１３５や支持アーム１２７等で構成された圧接手段により、可動枠１２９を固定枠１１５に自動的に圧接することで、出入り口１０３をシールドし、出入り口１０３の電磁波の漏れを防止している。
尚、図１７、図１８では、説明の便宜上、符号を特許文献１の図の符号に１００番をプラスして説明してあるが内容は、まったく同じものである。
【０００８】
又、特許文献２には導電性ブラシが開示されている。この特許文献２における導電性ブラシ２１０は、図１９に示すように、電磁波遮蔽ブラインド２０１として電磁遮蔽室２１９の窓２２１に用いられるものであるが、出入り口に用いてもよいように構成されている。即ち、図１９では窓２２１の上方にボックス２０２が設けられ、このボックス２０２に電磁波遮蔽幕２０７が巻取り又は巻降ろし可能に収容されている。この窓２２１の両側及び下側には、断面コ字状のケース２１７が電磁波遮蔽幕２０７を包み込むように配置されている。そして、ケース２１７の内部側面に前述した導電性ブラシ２１０が取り付けられている。
ここで、この窓２２１の遮蔽は、電磁波遮蔽幕２０７の下端を手で引っ張って下げ、窓２２１の下方のケース２１７に押し込むことによって実行されるようになっている。
尚、図１９では、説明の便宜上、符号を特許文献２の図の符号に２００番をプラスして説明してあるが内容は、まったく同じものである。
【０００９】
【特許文献１】特公平６−４６６７８号公報。
【００１０】
【特許文献２】特開２００２−１１８３８９号公報。
【発明の開示】
【発明が解決しようとする課題】
【００１１】
しかしながら、特許文献１に開示されたシャッター装置では、シールドスクリーン１１７が出入り口１０３を閉鎖したとき、シールドルーム１０１をシールドするためには、シールドスクリーン１１７を導電性の固定枠１１５に押圧する必要がある。そのため、固定枠１１５に可動枠１２９及び可動枠１２９を押し付ける圧接手段等が必要となり、更に、構造床１１１に凹部１１３を形成する等、構造が複雑となり、コスト高となる。
又、シールドスクリーン１１７を開閉するためにはシャッター開閉機構１１９で行なわなければならず、シート状のシールドスクリーン１１７を機械的に高速で開閉することは困難である。更に、シールドスクリーン１１７を完全に降ろす手順と、圧接手段を駆動させて可動枠１２９を圧接する手順との、２段階の手順が必要となり、その分、時間が多くかかり、これがため、例えば秒単位のオーダーに対応する高速開閉に対応できないという不都合があった。
【００１２】
特許文献２における導電性ブラシ２１０は、芯材と皮膜とで形成され、皮膜が銅メッキで形成されている。これに対して、電磁波遮蔽幕２０７が、生地と皮膜とで形成され、皮膜はアルミ等の金属で形成されている。
このため、電磁波遮蔽幕２０７の開閉のたびに、電磁波遮蔽幕２０７の皮膜と導電性ブラシ２１０の皮膜同士が擦れあう。電磁波遮蔽幕２０７の頻繁な開閉、且つ、例えば秒単位のオーダーでの開閉を行なう必要がある場合、各皮膜を構成する銅メッキと、アルミ等の金属とが擦れあって剥がれるおそれがあり、剥がれるとシールド効果が薄れることになる。
【００１３】
又、電磁波遮蔽幕２０７を閉じるには、当該電磁波遮蔽幕２０７を手で引っ張って降ろさなくてはならず、面倒であるうえに、秒単位のオーダーに対応する高速開閉には対応できないという不都合があった。
更に、上述した特許文献２の導電性ブラシ２１０を電磁遮蔽室２１９の出入り口用として用いた場合、上述した問題のほかに、窓２２１の下方のケース２１７が通行の邪魔となるため、車等は電磁遮蔽室２１９に入ることが困難である。車等を通すために下方のケース２１７だけを床に埋め込んだとすると、通行のたびにゴミ等がケース２１７内の導電性ブラシ２１０に溜り、シールド効果が得られなくなる。また、構造も複雑となり、コスト高となるという不都合があった。
また、床に埋設した下方のケース２１７内にゴミ等が溜まると、電磁波遮蔽幕２０７を手で引っ張って降ろすとき、ゴミのために途中で引っかかり、完全に閉めることができず、シールド効果が薄れるという不都合があった。
【００１４】
本発明は、上記従来例の有する不都合を改善するために提案されたもので、簡単な構成で確実に電磁波のシールド効果を得ることができると共に、高速開閉を可能とした電磁波シールドシャッターを提供することを、その目的とする。
【課題を解決するための手段】
【００１５】
上記目的を達成するため、本発明にかかる電磁波シールドシャッターは、電磁波シールドルームの出入り口に設ける電磁波シールドシャッターであって、  前記出入り口の電磁波を遮蔽可能なシート状の電磁波シールド部材と、前記出入り口の上方部に設けられ前記電磁波シールド部材を上下方向に開閉させるシールド部材開閉手段と、前記出入り口の上方部に設けられ前記シールド部材開閉手段を支持する開閉手段支持部材と、この開閉手段支持部材の下面と前記電磁波シールドルームの床面上との間にわたって架けわたすと共に前記電磁波シールド部材の開閉時に当該電磁波シールド部材の幅方向両端を案内する導電性部材からなる一対のガイド部材と、を備えて構成し、
前記電磁波シールド部材の下端部に、棒状又は筒状から成る形状の重りを常時収容して成る重り収容部を設けると共に、前記一対のガイド部材を前記電磁波シールド部材の表面と直交する側面視で傾斜させて設け、
前記一対のガイド部材の内部に、前記電磁波シールド部材の幅方向両端を案内する傾斜ガイド溝を形成すると共に、
この傾斜ガイド溝を、前記開口部が前記電磁波シールド部材によって遮蔽された場合に電磁遮蔽として機能するシールド用溝部と、当該シールド用溝の奥で当該シールド用溝の外側の側壁に沿って設けられ且つ前記電磁波シールド部材の開閉動作時に当該電磁波シールド部材の下端部の両端部から突設された被ガイド部材を案内する幅の狭い部材移動用溝部とによる２段構造としたことを特徴とする（請求項１）。
【００１６】
この発明によると、電磁波シールド部材は、シールド部材開閉手段の操作により、傾斜したガイド部材に案内されて昇降する。電磁波シールドシャッターは、電磁波シールド部材とシールド部材開閉手段と開閉手段支持部材とガイド部材とを備えて構成され、電磁波シールド部材は、その下端の重り収容部には重りを収容した構成となっている。このため、電磁波シールドシャッターを簡単な構成とすることができ、コストの低減を図ることができる。
又、電磁波シールド部材は傾斜したガイド部材に沿って降ろされる。そして、下端が床面に到達した後も、電磁波シールド部材は傾斜した状態でガイド部材に当接している。その結果、重りの荷重および電磁波シールド部材自身の荷重がガイド部材の傾斜面に沿って載置される形態となり、電磁波シールド部材がガイド部材に押圧されて密着し、これにより両者が導通するため、確実に電磁波のシールド効果を得ることができる。
更に、前述したように電磁波シールド部材をシート状とすると共に下端の重り収容部に重りを収容した構成としたので、電磁波シールド部材が降ろされるとき重りの荷重が加わって、高速での降ろし動作となり、その結果、電磁波シールドシャッターの高速開閉が可能となる。
また、電磁波シールド部材を、シールド部材開閉手段の操作により、傾斜したガイド部材に案内させて降ろすだけの手順で電磁波シールドルームの出入り口を閉じることができる。そのため、この点からも、電磁波シールドシャッターの高速開閉に寄与することができる。
更に、電磁波シールドシャッターの開閉は、電磁波シールド部材の昇降によって行なわれ、この昇降に際しては、電磁波シールド部材の被ガイド部材が部材移動用溝部に案内され、開口部の遮蔽時には、電磁波シールド部材がシールド用溝に当接して両者が導通される。被ガイド部材を介しての移動時には、電磁波シールド部材がシールド用溝に接触していないので接触による磨耗を防止することができ、迅速且つ確実に動作させることができ、電磁波シールド部材の耐久性能の向上を図ることができる。
【００１７】
ここで、前記シールド部材開閉手段を、前記電磁波シールド部材を巻き付けるドラムと、このドラムを回転駆動させて前記電磁波シールド部材を上下方向に開閉させるドラム回転駆動機構とを備えた構成としてもよい（請求項２）。
【００１８】
このため、ドラムをドラム回転駆動機構の操作により回転させることで電磁波シールド部材を巻上げることができると共に、重りの作用により高速で降ろすことができるので、簡単な構成で、容易に巻き上げ及び巻き降ろし作業を迅速に且つ効率良く実行することができる。
【００１９】
又、前述した一対のガイド部材の傾斜を、当該ガイド部材の上端に対して下端が前記電磁波シールドルームの外側に突き出された直線状の傾斜としてもよい（請求項３）。
【００２０】
このようにすると、電磁波シールド部材の開閉に際して、電磁波シールド部材が直線状の傾斜のガイド部材にガイドされる。ガイド部材が直線状の傾斜なので、電磁波シールド部材が滑りやすく、高速の開閉が可能となる。
【００２１】
（削除）
【００２２】
（削除）
【００２３】
又、前述した一対のガイド部材の下方の端部に垂直部を設けると共に、この垂直部における前記傾斜ガイド溝の部材移動用溝部の幅を前記シールド用溝部の幅と略同一としてもよい（請求項４）。
【００２４】
これにより、ガイド部材の下方の端部が垂直部になっているので、電磁波シールド部材が降ろされた際、重りの荷重が垂直方向に働いて電磁波シールド部材を下方に引っ張るように機能する。その結果、電磁波シールド部材がより強くシートガイドに押し付けられ、確実な導通を得られるので、より確実なシールド効果が得られる。また、部材移動用溝部の幅とシールド用溝部の幅とを略同一としたので、各溝の製作が容易である。
【００２５】
更に、前述した電磁波シールド部材を、シート状のシート本体とこのシート本体の少なくとも前記電磁波シールドルーム側に張り付けられたシート状の導電性シートとを含む構成とし、この導電性シートを含む前記シート本体の下端部を断面袋状に形成した構成としてもよい（請求項５）。
【００２６】
これによると、電磁波シールド部材をシート本体と導電性シートとで形成したので、電磁波シールド部材が所定厚さを必要とする場合、シート本体と導電性シートとの厚さを薄くすることができる。その結果、電磁波シールド部材全体を導電性部材で形成する場合と比較して、費用のかかる導電性部材を少なくでき、コストの低減に貢献させることができる。
【００２７】
ここで、前述した開閉手段支持部材の前記電磁波シールドルーム側に、前述した導電性シートに接触して導通する導電性接地部材を設けるように構成してもよい。
【００２８】
このようにすると、電磁波シールド部材の上部隙間から支持部材内を経由して電磁波が侵入しても、導電性部材と導電性シートとが導通しているため、当該電磁波を確実に遮蔽することができる。その結果、電磁波シールド部材の上部隙間からの電磁波の侵入を有効に防止できる。
【００２９】
更に、前述した導電性シートの幅方向の両端部に、導電性部材から成り凹凸状に変化する波形状のギャザーを長さ方向の全長にわたって取り付けた構成としてもよい（請求項６）。
【００３０】
このようにすると、電磁波シールド部材が、重りとガイド部材の傾斜との相乗効果により、ガイド部材に押し付けられるとき、ギャザーがガイド部材に押し付けられるので、より強く接触し、その結果、より確実なシールド効果が得られる。
【００３１】
又、前述した重り収容部内の重りを紐又は布等の屈曲性部材を介して前記シート本体の下側部分に一体的に垂下装備した構成としてもよい（請求項７）。
【００３２】
このようにすると、電磁波シールド部材下端が床面に到達した時点で、シールド部材開閉手段の停止が一瞬遅れ、電磁波シールド部材が弛んだ場合でも、電磁波シールド部材の下端に一体的に取り付けられている屈曲性部材が重りの荷重により引っ張られるため、電磁波シールド部材が引っ張られる。その結果、電磁波シールド部材の弛みが吸収されて電磁波シールド部材が張り詰められ、電磁波シールド部材がガイド部材に押圧されて両者が導通するので、電磁波の侵入を防止でき、シールド効果を維持することができる。
【００３３】
ここで、前述した重りを垂下保持する屈曲性部材を伸縮性部材で形成してもよい。
【００３４】
このようにすると、電磁波シールド部材下端が床面に到達した時点で、シールド部材開閉手段の停止が一瞬遅れ、電磁波シールド部材が弛んだ場合でも、電磁波シールド部材の下端に一体的に取り付けられている伸縮部材が重りの荷重により引っ張られると共に、伸縮部材自身が縮むことで、電磁波シールド部材を迅速、且つ確実に引っ張ってその弛みを吸収し、電磁波シールド部材を張り詰める。その結果、電磁波シールド部材がガイド部材に押圧されて両者が導通するので、電磁波の侵入を防止でき、シールド効果を維持することができる。
【００３５】
又、前述した重りを金属製の丸パイプで形成すると共に、当該重りの両端部で当該重りと同軸上に支持棒を突設し、  この各支持棒をそれぞれ前述した被ガイド部材としてもよい（請求項８）。
【００３６】
このようにすると、重りが金属製の丸パイプで形成されており、この丸パイプは市販のものを使用できるので、調達が容易である。また、丸パイプは加工も容易であり、長さ及び直径を調整することで、電磁波シールドルームの開口部の大きさに容易に、且つ柔軟に対応することができる。
【００３７】
ここで、前述した部材移動用溝部に滑り性に優れた滑り部材を設け、前記シート用ガイド溝に導電性に優れた導電性接地部材を装着した構成としてもよい。
【００３８】
このようにすると、電磁波シールド部材の昇降に際して、支持棒が部材移動用溝部に案内されるとき、滑り性に優れた滑り部材と接触するので、よりスムーズな滑りが可能となり、電磁波シールドシャッターの高速開閉に対応することができる。また、導電性シートの両端ギャザーがシート用溝にガイドされるとき、導電性に優れた導電性接地部材に押し付けられて案内されるので、より確実なシールド効果を得ることができる。
【００３９】
又、前述した重り収納部の内面の下方部に、前述した重りが床面に到達したとき生じる緩衝を吸収する緩衝部材を装備してもよい（請求項９）。
【００４０】
このようにすると、電磁波シールド部材がドラムの回転と重りの荷重との相乗作用により降ろされ、重りが床面に到達した際、緩衝部材によって衝撃が吸収される。そのため、重りが跳ね返ってガイド部材に衝突し、ガイド部材を傷めたり、重りが床面に達したときの衝撃で、床面を傷めたりすることがない。このため、かかる点において、装置全体の耐久性向上を図ることができる。
【００４１】
更に、前述したガイド部材の傾斜を、当該ガイド部材の中央部が電磁波シールドルームの外側に膨らんだ円弧状の傾斜としてもよい（請求項１０）。
このようにすると、ガイド部材が円弧状の傾斜となるので、円弧の膨出側に沿って電磁波シールド部材および重りの荷重が掛かる。その結果、電磁波シールド部材がガイド部材に、より密着して押し付けられるので、より確実な電磁波のシールド効果を得ることができる。
【００４２】
又、前述したガイド部材の傾斜を、当該ガイド部材の下端部を内側に向けて突き出して得られる傾斜とした構成としてもよい（請求項１１）。
【００４３】
このようにすると、ガイド部材はその下端部を内側に向けて突き出して得られる傾斜となっているので、電磁波シールド部材の上部は電磁波シールドルームの外側に大きく突出した位置（ガイド部材の上部）に配置される。即ち、開閉手段支持部材（支持ケース）が電磁波シールドルーム及びガイド部材よりも前方に突出して配設されるので、電磁波シールドルーム内への出入りの邪魔にもならないという利点が有る。
【発明の効果】
【００４４】
本発明は上述のように構成され機能するので、これによると、シート状の電磁波シールド部材を使用し下端部に重りを装備し上下方向に開閉するという簡単な構成を採用したので、電磁波を有効にシールドし得るばかりでなく従来緩慢であった電磁波シールド部材の下降動作を重りの作用で迅速化することができ、これがため高速開閉が可能となり、特に電磁波シールド部材の開閉動作を案内する一対のガイド部材を傾斜した構成としたので、遮蔽された状態ではシート状の電磁波シールド部材はその両端部がガイド部材により支持されるために電磁波のシールド効果をより一層高めることができるという従来にない優れた電磁波シールドシャッターを提供することができる。
【発明を実施するための最良の形態】
【００４５】
以下、本発明に係る電磁波シールドシャッター１０の実施形態を添付図面に基づいて説明する。
図１乃至図２に、本発明に係る電磁波シールドシャッター（以下、単に「シールドシャッター」という）を電磁波シールドルーム１に取り付けた構成を示す。
【００４６】
この図１乃至図２において、シールドシャッター１０は、電磁波シールドルーム１の出入り口としての開口部１Ａの前方に、その下端部側が幾分突出して配設され、電磁波シールドルーム１の出入り口遮蔽用として用いられている。
電磁波シールドルーム１は、その室内の内面にアルミや銅板等の金属膜等からなるシールド部材が張り付けられ、電磁波が遮蔽（シールド）された状態に構成されている。また、シールドルーム１の床１Ｂは、導電性を有する鉄板等から成る金属製の床面となっている。
【００４７】
シールドシャッター１０は、シート状の電磁波シールド部材であるシート２０と、このシート２０を上下方向に開閉させるシールド部材開閉手段であるシート開閉手段３０と、このシート開閉手段３０を支持する開閉手段支持部材である支持ケース４０と、前記シート２０の上下方向の開閉時、つまり昇降時に、シート２０をガイドする一対のガイド部材であるシートガイド５０とを備えて構成されている。
【００４８】
シート２０は、図３乃至図４（Ａ）（Ｂ）に示すように、ポリエステル，ＡＢＳ樹脂，高分子エラストマー等の合成樹脂製或いは金属繊維織布等で形成されたシート本体２１と、このシート本体２１の裏面全面に例えば縫製により固着された導電性シート２２とを備えた構成となっている。
【００４９】
導電性シート２２は、例えばアラミド繊維等の化学繊維を芯材として、その表面に銅或いはアルミニューム等の金属メッキ処理を施して形成されているもの等がある。
以上のようなシート２０の厚さは、シート本体２１と導電性シート２２とを合計した厚さが、例えば、１〜１０〔ｍｍ〕の範囲内に仕上げられている。そして、シート２０は、導電性シート２２を電磁波シールドルーム１側に向けて配置されている。なお、導電性シート２２のシート本体２１への固着は接着で行なってもよい。
【００５０】
シート２０における導電性シート２２の幅方向両端には、当該導電性シート２２と同じ材料で製作した所定幅のギャザー２３が、例えば縫製により取り付けられている。ギャザー２３は波形状に形成されており、波形状が導電性シート２２の幅方向に沿い、且つ導電性シート２２の長さ方向の全長にわたっている。
これにより、ギャザー２３が導電性部材で形成されたシートガイド５０により強く押圧され、シート２０の横からの電磁波の侵入を防止でき、導電性がより向上するようになっている。
【００５１】
前述したシート２０の上端部は、導電性シート２２側を、前述したシート開閉手段３０を構成するドラム３１の表面に当接させた状態でドラム３１の表面に固着されている。このシート２０の下端部には、導電性シート２２の表面がシート本体２１の表面に向くように折り返えして成る重り収容部である折り返し部２０Ａが設けられている。この折り返し部２０Ａ内には、筒状の重り２４と、この重り２４と同軸心上に装備されて当該重り２４を支持する支持棒２５の本体部（両端部を除く部分）が包みこまれている。ここで、この支持棒２５の両端部は折り返し部２０Ａから突設されて後述する被ガイド部材を構成するようになっている。また、折り返し部２０Ａは、図４等に示すように、断面袋状に形成されている。
【００５２】
これにより、導電性シート２２と前述したギャザー２３とが、折り返し部２０Ａの先端において、床面１Ｂと当接可能となっており、ギャザー２３と床面１Ｂとが導通するようになっている。ここで、この折り返し部２０Ａの形状は、折り返えす前のシート２０の先端部と，シート本体２１と，導電性シート２２共々、折り返した後に、縫製等により一体的に固着されることによって形成されている。
【００５３】
重り２４は、例えば鉄パイプ等の金属部材によって構成され、支持棒２５は例えば鉄棒で形成されている。また、重り２４は、シート２０の幅寸法より短い寸法になっており、支持棒２５は、シート２０の幅寸法より長い寸法に形成され、シート２０の幅方向両端から突設されている。そして、この支持棒２５の両端部の突設部分が、前述したシート２０の上下動に際して被ガイド部材として機能するようになっている。
ここで、重り２４は、シート２０の大きさと所望の開閉スピードに対応して重さが設定され、例えば、１０〔ｋｇ〕〜１００〔ｋｇ〕の重さの範囲に設定されている。
【００５４】
重り２４及び支持棒２５については、支持棒２５に重り２４を嵌めこんだ後、重り２４が支持棒２５に沿って移動しないように、当該重り２４の両端が支持棒２５に溶接等により固定されている。また、重り２４及び支持棒２５は、その長手方向をシート２０の幅方向に沿って配設されている。
【００５５】
重り２４と支持棒２５とを包み込んだシート２０の折り返し部２０Ａは、図１１乃至図１２に示すように、幅方向中央部側で重り２４を包み込むと共に、幅方向両端部で支持棒２５の本体部を包み込むように絞られ、前述のように、断面袋状に形成されている。
【００５６】
また、折り返し部２０Ａには、図８に詳細を示すように、屈曲性部材であると共に伸縮性部材であるゴム等の伸縮性シート２７が縫製等により一体的に設けられ、この伸縮性シート２７により重り２４と支持棒２５の本体部とが直接包み込まれている。このため、図１０に示すように、重り２４が床面１Ｂに到達した時点でドラム３１の停止が一瞬でも遅れてシート２０が弛んだ場合でも、ドラム３１が停止した後、重り２４の荷重のため、シート２０の下端の伸縮性シート２７が縮み、それに連れて、シート２０が引っ張られて弛みが吸収され、シート２０を張り詰めることができる。ここで、屈曲性部材は、伸縮性部材に限らず、紐又は布であってもよい。
【００５７】
前述したシート開閉手段３０は、シート２０の上端部を固定しておいてそのシート２０を巻き上げ・降ろすドラム３１と、このドラム３１を回転駆動させて前記シート２０を上下方向に開閉させるドラム回転駆動機構３２とを備えて構成されている。
【００５８】
ドラム３１は、所定厚さの鉄板等で丸パイプ状に形成され、シート２０の幅寸法より所定寸法長く形成されている。ドラム３１は、軸部材３３で支持されると共に、図示しない軸受を介して回転自在となっている。
ドラム回転駆動機構３２は、図示しないモータを含み構成され、図示しない制御装置により遠隔操作できるようになっている。また、モータは、シート２０を高速で（例えば、秒オーダーで）開閉できるような性能を備えている。さらに、ドラム回転駆動機構３２は、シート２０が床面１Ｂに到達したとき、シート２０がそれ以上降りないようにストップさせるストッパ機能を備えている。
【００５９】
ドラム３１、及びドラム回転駆動機構３２は、前記支持ケース４０の内部に設けられており、この支持ケース４０は、電磁波シールドルーム１の前壁１Ｃの上方部、且つ前方に突出して固着されている。
支持ケース４０は、例えば薄型鉄板を折り曲げ加工して断面略四角形のダクト状に形成されている。そして、図１に示すように、電磁波シールドルーム１の幅方向全面にわたる長さに形成され、図示しないボルト等により前記前壁１Ｃに固定されている。
【００６０】
このような支持ケース４０の底板４０Ａに、前記ドラム３１及びドラム回転駆動機構３２が図示しないブラケット等により固定されている。
支持ケース４０の底板４０Ａの前部（ドラム３１の前方側）には、所定幅寸法で、シート２０の昇降用の貫通孔４０Ｂがあけられている。
【００６１】
電磁波が支持ケース４０の内部を通過して底板４０Ａの貫通孔４０Ｂから電磁波シールドルーム１に侵入するのを防止するために、また、電磁シールドルーム１内の電磁波が外部に洩れないように、図２、図５、図６に示すように、導電性接地部材である導電性ブラシ４１が取り付けられている。
【００６２】
導電性ブラシ４１は、２枚の薄板鉄板等で形成された平面長方形の止め板４１Ａで多数本のブラシ材４１Ｂを挟み込んで形成され、止め板４１Ａが、支持ケース４０の底板４０Ａの下面に、複数本の取り付けビス４２により固定されている（図５参照）。ブラシ材４１Ｂは、前記導電性ブラシ２２と同一材料で形成されている。
そして、導電性ブラシ４１が取り付けられた状態で、ブラシ材４１Ｂの先端部分が導電性シート２２の表面に所定の接触圧で当接し、両者４１Ｂ、２２が導通するように、取り付け位置が設定されている。
このため、図５中矢印Ｅで示すように、シート２０の上方の隙間、つまり支持ケース４０の内部を経由して侵入する電磁波が遮蔽される。
【００６３】
図２に示すように、前記シートガイド５０は、支持ケース４０と電磁波シールドルーム１の床面１Ｂとの間に、傾斜して架けわたされている。
すなわち、シートガイド５０は導電性に優れたアルミや鉄等で断面略コ字形状に形成され、前記シート２０の幅方向両端部を囲うように一対で構成されている。そして、シート２０の幅寸法は、支持ケース４０の底板４０Ａにあけられた貫通孔４０Ｂを挿通できる寸法に形成されている。
シートガイド５０の上端は、支持ケース４０の貫通孔４０Ｂの下端に当接され、シートガイド５０の下端は床面１Ｂに当接されている。
【００６４】
以上のようなシートガイド５０は、シート２０の表面と直交する側面視で、床面１Ｂに対してα°の角度で、シートガイド５０の上端に対して下端が電磁波シャッタールーム１の外側に突き出た傾斜となっている。
この角度α°は、実施形態では３°前後の傾きに設定されている。しかし、例えば３°〜３０°の範囲又はその前後の範囲内であれば、３°前後に限定されるものではない。
【００６５】
前述したように、又図１０〜図１１に示すように、シートガイド５０は、断面略コ字形状に形成されており、その内部には二段構造の傾斜ガイド溝５０Ａが形成されている。
即ち、傾斜ガイド溝５０Ａは、前記支持棒２５の長手方向両端部を案内する部材移動用溝部である支持棒用ガイド溝５０Ｂと、シート２０の幅方向両端部を案内するシート用ガイド溝５０Ｃとの二段構造となっている。
【００６６】
支持棒用ガイド溝５０Ｂは、電磁波シールドルーム１側に形成されたシート用ガイド溝５０Ｃの前方（奥側）に、図１０において、シート用ガイド溝５０Ｃより高くなった段違いに形成されている。これらの溝５０Ｂ、５０Ｃの幅は略同じとなっている。また、支持棒用ガイド溝５０Ｂは、支持棒２５を収容できる深さに形成されている。
【００６７】
そして、図７に詳細を示すように、支持棒用ガイド溝５０Ｂは、傾斜の下端部一部に形成された、傾斜終端部に連続する円弧部Ｒに垂直に繋がる垂直部５０Ｄの上方延長線と交わる位置まで延びている。支持棒用ガイド溝５０Ｂには、滑り性に優れたテフロン等の滑り部材５１が接着等により固着されている。
また、支持棒用ガイド溝５０Ｂに支持棒２５が案内されているとき、シート２０の幅方向両端部とシート用溝５０Ｃとの間には所定寸法の隙間Ｓ（図８、図１１参照）が形成され、シート２０の幅方向両端部は、シート用溝５０Ｃから浮いた状態である。
【００６８】
シート用ガイド溝５０Ｃは、前述のように、電磁波シールドルーム１側に形成されており、このシート用ガイド溝５０Ｃは、傾斜の下方の端部に、傾斜終端部に形成された前記円弧部Ｒに連続する垂直となった前記垂直部５０Ｄの上方延長線と交わる位置まで延びている。
また、シート用ガイド溝５０Ｃには、導電性に優れたガスケット５２が接着等により固着されている。
【００６９】
従って、シート２０が降ろされる際に、まず、図７に仮想線で示すように、ドラム３１から繰り出されるシート２０の折り返し部２０Ａの重り２４が、支持棒２５の両端を介して、支持棒用ガイド溝５０Ｂの滑り部材５１にガイドされて垂直部５０Ｄに至る部位まで移動し、垂直部５０Ｄに至ったとき、シート２０の両端ギャザー２３がシート用溝５０Ｃにガイドされるようになっている。このため、シート用ガイド溝５０Ｃは、前記開閉部１Ａがシート２０によって遮蔽された場合に、初めて機能するものである。
また、シート２０の両端ギャザー２３は、支持棒２５が支持棒用ガイド溝５０Ｂから外れると同時に、シートガイド５０の垂直部５０Ｄにガイドされ、そこから床面１Ｂまでのわずかな距離をスライドすることになり、繰り返しの昇降でも磨耗を極力防止できるようになっている。
【００７０】
次に、以上のような構成のシールドシャッター１０の動作を説明する。
通常、電磁波シールドルーム１内では、電磁波をシールドした状態で各種作業が行なわれており、この際、電磁波シールドルーム１の出入り口１Ａは、このシールドシャッター１０によって閉じられている。
【００７１】
電磁波シールドルーム１に入室する際は、まず、シート開閉手段３０の回転駆動機構３２を起動し、ドラム３１を回転させてシート２０を巻上げる。
すると、シート２０の重り２４の部分における両端ギャザー２３が、垂直部５０Ｄのシート用溝５０Ｃにガイドされながら上昇する。垂直部５０Ｄを過ぎる近辺から、重り２４の支持棒２５が支持棒用ガイド溝５０Ｂに乗り換わり、以後は支持棒２５が傾斜した支持棒用ガイド溝５０Ｂにガイドされ、巻上げられる。
【００７２】
シート２０の上昇時、シート２０の導電性シート２２には、導電性ブラシ４１のブラシ材４１Ｂの先端が接触して両者２２，４１が導通し、これにより、シート２０の上端部、つまり、支持ケース４０の内部からの電磁波の侵入を防止している。
【００７３】
電磁波シールドルーム１へ入室したら、前述と逆の動作により、シート２０を降ろし、電磁波シールドルーム１の出入り口を閉鎖する。
すなわち、回転駆動機構３２のストッパ機能を働かせてストッパを解除すると、ドラム３１に巻上げられていたシート２０が、重り２４の荷重により高速で滑り降りる。シート２０の降り始めは、重り２４の支持棒２５がシートガイド５０の支持棒用溝５０にガイドされ、この状態で、垂直部５０Ｄに至るまで降ろされる。
【００７４】
シート２０が垂直部５０Ｄの近傍まで降ろされたら、支持棒２５が支持棒用ガイド溝５０Ｂから外れると同時に、折り返し部２０Ａの両端ギャザー２３が、垂直部５０Ｄのシート用溝５０Ｃにガイドされて床面１Ｂまで降ろされる。
【００７５】
折り返し部２０Ａの重り２４が床面１Ｂに到達した時点で、重り２４により、折り返し部２０Ａのギャザー２３及び導電性シート２２が床面１Ｂに押圧され、両者２２、１Ａ間の隙間が塞がれると共に導通され、隙間からの電磁波の侵入が防止される。
【００７６】
重り２４が床面１Ｂに到達した時点でドラム３１の停止が一瞬でも遅れた場合、図９に示すように、シート２０が弛んでしまうが、ドラム３１が停止した後でも、重り２４の荷重のため、シート２０の下端の伸縮性シート２７が縮む。それに連れて、シート２０が引っ張られて弛みが吸収され、シート２０が張り詰められる。
その結果、シート２０の導電性シート２２がシートガイド５０のシート用溝５０Ｃに押圧されて両者２２，５０Ｃが導通し、これにより、シート２０における幅方向両端部、及びシート２０の下端と床面１Ｂとの隙間からの電磁波の侵入が防止される。
【００７７】
そして、電磁波シールドルーム１への出入りのたびに、前述と同様の操作が行なわれる。
【００７８】
以上のように、上記実施形態におけるシールドシャッター１０によれば、次の効果が得られる。
（１）．シールドシャッター１０は、シート２０と、ドラム３１と、ドラム回転駆動機構３２と、支持ケース４０と、シートガイド５０とを備え、シート２０を傾斜したシートガイド５０に沿わせて昇降させるだけで開閉できる構成となっているので、簡単な構成とすることができ、コストの低減を図ることができる。
【００７９】
（２）．シート２０が降ろされるとき、傾斜したシートガイド５０に押し付けられ、下端が床面１Ｂに到達した後も、シート２０は傾斜した状態でシートガイド５０に当接している。その結果、重り２４の荷重、およびシート２０の荷重がシートガイド５０の傾斜面に掛かるため、シート２０がシートガイド５０に押圧されて密着し、シート２０の導電性シート２２とシートガイド５０のシート用溝５０Ｃとが導通する。その結果、確実に電磁波のシールド効果を得ることができる。
【００８０】
（３）．シート２０を、シート状とすると共に、下端の折り返し部２０Ａに重り２４を収容した構成としたので、シート２０が降ろされるとき重り２４の荷重が加わって、高速での降ろし動作となり、その結果、シャッター１０の高速開閉が可能となる。
【００８１】
（４）．シート２０が、シート本体２１と導電性シート２２とで形成されているので、シート２０が所定厚さを必要とする場合、シート本体２１と導電性シート２２との厚さを薄くすることができる。その結果、シート２０全体を導電性部材で形成する場合と比較して、費用のかかる導電性部材を少なくでき、コストの低減に貢献させることができる。
【００８２】
（５）．シート２０の下端は、導電性シート２２及びギャザー２３が床面１Ｂと接触するような折り返し部２０Ａとされているので、シート２０が降ろされ、床面１Ｂに到達した際、導電性シート２２及びギャザー２３が、床面１Ｂと当接して導通する。その結果、シート２０と床面１Ｂとの間からの電磁波の侵入を防止することができる。
【００８３】
（６）．シールド部材開閉手段３０が、ドラム３１と、このドラム３１を回転駆動させるドラム回転駆動機構３２とで構成され、ドラム３１を回転させることでシート２０を巻上げることができると共に、重りの作用により高速で降ろすことができるので、簡単な構成で、容易に巻上げ・降ろし作業を行なうことができる。
【００８４】
（７）．シート２０の昇降動作は、ドラム３１とドラム回転駆動機構３２との操作により、傾斜したシートガイド５０にガイドさせて降ろし、或いはドラム３１を回転させてシート２０を巻上げるだけの、それぞれ１手順で行なうことができる。ドラム回転駆動機構３２の性能、および重り２４の重さを調整することで、電磁波シールドルームの出入り口を高速開閉することが可能となる。
【００８５】
（８）．シート２０を昇降させて開閉させる際、シート２０の降り始めは、重り２４の支持棒２５が支持棒用ガイド溝５０Ｂにガイドされて垂直部５０Ｄに至るまで降ろされ、垂直部５０Ｄ近傍で、支持棒２５が支持棒用ガイド溝５０Ｂから外れると同時に、シート２０の両端ギャザー２３が、シート用溝５０Ｃにガイドされて床面１Ｂまで降ろされる。そのため、導電性シート２２の両端ギャザー２３は、垂直部５０Ｄと床面１Ｂまでのわずかな距離をスライドすることになり、繰り返しの昇降でも磨耗が少なくてすみ、導電性シート２２、及びギャザー２３の耐久性の向上を図ることができる。
【００８６】
（９）．シートガイド５０の下方の端部が垂直部５０Ｄに形成されているので、シート２０が降ろされる際、シートガイド５０の下方の端部においては重り２４が垂直部５０Ｄに沿って降ろされるので、重り２４の荷重が垂直方向に働いてシート２０を下方に引っ張る。その結果、シート２０の導電性シート２２がより強くシートガイド５０のシート用溝５０Ｃに押し付けられ、導電性シート２２とシート用溝５０Ｃとが確実に導通し、より確実なシールド効果が得られる。
【００８７】
（１０）．シート２０の下端の重り２４が床面１Ｂに到達した時点で、ドラム３１の停止が一瞬でも遅れた場合シート２０が弛んでしまうが、シート２０の折り返し部２０Ａにシート本体２１と一体に伸縮性シート２７が取り付けられているので、ドラム３１が停止した後で、伸縮性シート２７が縮むことで、シート２０の弛みを吸収し、シート２０を張り詰める。その結果、導電性シート２２に取り付けられたギャザー２３がシートガイド５０のシート用溝５０Ｃに押圧されて両者が導通し、その結果、確実なシールド効果を得ることができる。
【００８８】
（１１）．支持ケース４０の電磁波シールドルーム１側に、導電性シート２２に接触して導通させる導電性ブラシ４１を設けたので、シート２０の上部隙間から支持ケース４０内を経由して電磁波が侵入しても、導電性ブラシ４１と導電性シート２２とによりシールドされる。その結果、シート２０の上部隙間からの電磁波の侵入を防止できる。
【００８９】
（１２）．支持棒用ガイド溝５０Ｂに滑り部材５１、シート用溝５０Ｃに導電性のガスケット５２が設けられており、シート２０の昇降に際して、支持棒２５が支持棒用ガイド溝５０Ｂに案内されるとき、滑り部材５１と接触するので、よりスムーズな滑りが可能となり、電磁波シールドシャッター１０の高速開閉動作に際し、有効に対応することができるという利点がある。また、導電性シート２２のギャザー２３がシート用溝５０Ｃに案内されるとき、導電性部材５２に押し付けられて案内されるので、より確実なシールド効果を得ることができる。
【００９０】
次に、本発明の第２実施形態を、図１２に基づいて説明する。
この図１２に示すシールドシャッター１０Ａは、前述した第１実施形態のシャッター１０におけるシートガイド５０を、外に向けて幾分膨出した円弧状のシートガイド６０に形成したものである。
【００９１】
シートガイド６０は、図１２に示すように、その中央部が電磁波シールドルーム１の外側に膨らんだ円弧形状の傾斜となっている。そして、上述した円弧形状は、前述した第１実施形態のシートガイド５０の略３°の直線状の傾斜に沿って近似の円弧に形成されている点に特徴を有する。
【００９２】
前述したシートガイド６０の下端は、円弧が連続した状態であり、前述した第１実施形態におけるシートガイド５０の垂直部５０Ｄは形成されていない。
このようなシートガイド６０には、第１実施形態におけるシートガイド５０の支持棒用ガイド溝５０Ｂ及びシート用溝５０Ｃと同等の構造からなる円弧状の支持棒用溝６０Ｂ及び円弧状のシート用溝６０Ｃとが、形成されている。
その他の構成およびその動作，機能は、前述した第１の実施形態の場合と同一となっている。
【００９３】
以上のように構成された第２実施形態のシャッター１０Ａによれば、前述した第１実施形態の場合と同等の作用、即ち、前述した（１）〜（７），及び（１０）〜（１２）とほぼ同様の効果を得ることができるほか、更に、次に述べる効果を得ることができる。
（１３）．前述した第１実施形態のような垂直部５０Ｄがなくても、円弧の基点部側に重り２４の荷重が働くので、シート２０がシートガイド６０に、より強く押圧されて導通が得られ、これにより、シート２０の側面、及び下端からの電磁波の侵入を有効に防止することができる。
【００９４】
次に、本発明の第３実施形態を、図１３に基づいて説明する。
この図１３に示す第３の実施形態におけるシャッター１０Ｂは、シートガイド７０の傾斜を、当該シートガイド７０の下端部が内側、つまり電磁波シールドルーム１側に向けて突設させて得られる傾斜とした構成となっている。
このため、この第３実施形態では、シート２０の外側がシートガイド５０に保持される形態となることから、支持ケース７１を含むシールドルーム１の全体が電磁シールドされる構成となっている。
以下、その特徴部分を説明する。
【００９５】
まず、シャッター１０Ｂでは、支持ケース７１を、前述した第１乃至第２の各実施形態における支持ケース４０より、前方側に大きく突出した形状とし、その支持ケース７１の最前部に前記ドラム３１、及びドラム回転駆動機構３２が配置されている。
そして、シート２０の導電性シート２２が電磁波シールドルーム１とは反対側に向けられ、支持ケース７１におけるシールド部材開閉手段３０の下面側に前記導電性ブラシ４１が取り付けられている。この導電性ブラシ４１は、導電性シート２２と常時接触するように位置決めして電磁波シールドルーム１とは反対側に取り付けられている。
【００９６】
シートガイド７０には、第１実施形態におけるシートガイド５０の支持棒用ガイド溝５０Ｂ、及びシート用溝５０Ｃからなる傾斜ガイド５０Ａと、傾斜方向は異なるが同様の構造の、支持棒用ガイド溝７０Ｂ、及びシート用溝７０Ｃからなる傾斜ガイド７０Ａが形成されている（図１３参照）。
【００９７】
ここで、シート２０はシートガイド７０に案内されてドラム３１に巻き付けられるようになっており、ケース７１においてシート２０の電磁波シールドルーム１側に、シート２０が挿通する貫通孔７１Ｂがあけられている。
【００９８】
シート２０は、前述のように、導電性シート２２が電磁波シールドルーム１側に向けられており、シートガイド７０が電磁波シールドルーム１の反対側（外側）に傾斜しているため（図１３参照）、シート２０は、シート本体２１が前記支持棒２５を介して傾斜ガイド７０Ａの支持棒用ガイド溝７０Ｂに案内され、導電性シート２２はシート用溝７０Ｃと接触して案内されて導通することになる。
又、シートガイド７０の下端は、電磁波シールドルーム１側の先端７０Ｅが削除され、残った先端が、前壁１Ｃの室内側側面の延長線上に沿った位置に配置されている。
その他の構成およびその動作，機能は、前述した第１の実施形態における電磁波シールドシャッター１０の場合と同一となっている。
【００９９】
以上のように構成された電磁波シールドシャッター１０Ｂによれば、前述した（１）〜（１２）と同等の効果を得ることができるほか、更に、次に述べる効果を得ることができる。
（１４）．シートガイド７０の先端７０Ｅを削除することにより、シートガイド７０の傾斜角度α１°を同じとした場合、先端７０Ｅを削除しない構成と比較して、ケース７１の電磁波シールドルーム１からの突出寸法を少なくすることができる。
【０１００】
（１５）．シールドシャッター１０Ｂでは、支持ケース７１が電磁波シールドルーム１の前方に、且つシートガイド７０よりも前方に突出して形成されているので、シートガイド７０が突出している場合よりも、通行等の邪魔となりにくい。また、支持ケース７１によって、外部の、例えば風雨の影響を少なくすることもできる。
【０１０１】
尚、本発明は上述した各実施形態に限定されるものではなく、本発明の目的を達成できる範囲での変形、改良等は全て本発明に含まれるものである。
例えば、上記第１乃至第３の各実施形態では、支持棒用ガイド溝５０Ｂにテフロン等の滑り部材５１、シート用溝５０Ｃにガスケット５２を設けたが、これら滑り部材５１およびガスケット５２は必ずしも設けなくてもよい。ただし、各部材５１，５２を設けることで前述した（１２）のような効果をえることができる。
【０１０２】
また、上記第１乃至第３の各実施形態では、支持棒用ガイド溝５０Ｂ等にテフロン等の滑り部材５１を設け、この滑り部材５１を重り２４の支持棒２５が滑動するようになっているが、これに限らない。例えば、図１４に示すように、支持棒２５の両端（突設部）にベアリングを内蔵したガイドローラ７５を装着し、このガイドローラ７５を介して支持棒用ガイド溝５０Ｂ内を当該支持棒２５の両端部を転動させるようにしてもよい。
このようにすれば、シート２０の開閉がよりスムーズとなり、高速開閉に際しても何ら支障がない。なお、ベアリング７５を使用する場合、テフロン等の滑り部材５１をそのままにしても，或いは省略してもよい。
【０１０３】
更に、上記第１乃至第３の各実施形態では、導電性ブラシ４１を、２枚の止め板４１Ａでブラシ材４１Ｂを挟んで形成したが、これに限らない。
例えば、シート２０の導電性シート２２と同一材料を用いて、図１５（Ａ）（Ｂ）に示すように、本体７７Ａとブラシ部７７Ｂとからなる短冊状のブラシ７７を形成し、このブラシ７７を支持ケース４０の下面に取り付けてもよい。
【０１０４】
又、上記第１乃至第３の各実施形態では、伸縮性シート２７をシート２０の折り返し部２０Ａの内側に一体的に取り付け、伸縮性シート２７で重り２４を包み込んだが、図１６に示すように、伸縮性シート２７と折り返し部２０Ａとの間に緩衝部材７９を設けてもよい。
このようにすれば、平面度に乏しい床面１Ｂへ、シート２０の導電性シート２２を均一に押圧することができ、且つ床面１Ｂとの間で導通が得られ、その結果、より確実に電磁波の侵入を防止することができる。また、シート２０が高速で降ろされ、重り２４が床面１Ｂに達したときの衝撃を吸収できるので、床面１Ｂの傷みを軽減することができる。
【０１０５】
更に、上記第１乃至第３の各実施形態では、シート２０を１枚のシート本体２１と導電性シート２２とで形成し、下端に支持棒２５と一体となった重り２４を設けた構造としたが、これに限らず、支持棒２５とは別に、シート２０の上端及び中間にそれぞれ補強用の棒部材を設けた構成としてもよい。
このようにすれば、風雨が強いときでも開閉に大きな支障を及ぼさない。
【０１０６】
また、前述した第２実施形態のシャッター１０Ａでは、シートガイド７０Ａの中央部が電磁波シールドルーム１の外側に膨らんだ円弧状の傾斜としたが、これに限らない。シートガイド７０Ａの中央部が電磁波シールドルーム１の内側に膨らんだ円弧状の傾斜としてもよい。
【０１０７】
更に、前述した第３実施形態では、ドラム３１の位置を、シート２０の外側に配置してあるが、これに限らず、シート２０を挟んで第３実施形態でのドラム３１の反対側、つまり電磁波シールドルーム１の対称位置にドラム３１を配置してもよい。この場合、シート２０の接線上にドラム３１の外径が一致するようになっている。
このようにすれば、ケース７１の電磁波シールドルーム１からの突出量をより少なくすることができる。
【０１０８】
また、上記１乃至第３の各実施形態では、シャッター１０等を電磁波シールドルーム１の床面１Ｂ上に設け、電磁波シールドルーム１と一体的に構成したが、これに限らない。例えば、シャッター１０等を単独で構成し、既存の電磁波シールドルームに対して後付けで取り付けることもできる。
【産業上の利用可能性】
【０１０９】
本発明は、外部から電磁波シールドルームに出入りする際の総ての出入り口に利用することができる。
【図面の簡単な説明】
【０１１０】
【図１】本発明に係る電磁波シールドシャッターの第１実施形態を示す全体斜視図である。
【図２】図１のＡ−Ａ線に沿った縦断面図である。
【図３】図１に開示した実施形態の電磁波シールド部材を示す正面図である。
【図４】図３に開示した電磁波シールド部材の一部を示す図で、図４（Ａ）は図３のＢ矢視から見た部分側面部、図４（Ｂ）は図４（Ａ）のＣ部拡大図である。
【図５】図１に開示した電磁波シールドシャッターのドラム近傍の詳細を示す部分断面図である。
【図６】図１に開示した電磁波シールドシャッターに装備された導電性ブラシを示す平面図である。
【図７】図１に開示した電磁波シールドシャッターの中間部及び下端部の一部を示す詳細断面図である。
【図８】図１に開示した電磁波シールドシャッターの下端部を示す詳細断面図である。
【図９】図１に開示した電磁波シールドシャッターの下端部の重りが機能する前の状態を示す詳細部分断面図である。
【図１０】図７のＤ−Ｄ線に沿った断面図である。
【図１１】図７のＥ−Ｅ線に沿った断面図である。
【図１２】本発明に係る電磁波シールドシャッターの第２実施形態を示す縦断面図である。
【図１３】本発明に係る電磁波シールドシャッターの第３実施形態を示す縦断面図である。
【図１４】本発明に係る電磁波シールドシャッターの重りの支持棒部分の変形例を示す説明図である。
【図１５】本発明に係る電磁波シールドシャッターの導電性ブラシの他の例を示す図で、図１５（Ａ）はその導電性ブラシを示す平面図、図１５（Ｂ）は図１５（Ａ）の平面図である。
【図１６】本発明に係る電磁波シールドシャッターの重り近傍の他の例を示す部分断面図である。
【図１７】従来例を示す正面図である。
【図１８】図１７のＦ−Ｆ線に沿った縦断面図である。
【図１９】他の従来例に係る電磁波シールドルームの導電性ブラシを用いた窓を示す説明図である。
【符号の説明】
【０１１１】
１    電磁波シールドルーム
１Ａ  出入り口である開口部
１０，１０Ａ，１０Ｂ  電磁波シールドシャッター
２０  電磁波シールド部材としてのシート
２０Ａ  重り収容部としての折り返し部
２１  シート本体
２２  導電性シート
２３  波形状のギャザー
２４  重り
２５  支持棒
２７  屈曲性部材としての伸縮性部材（伸縮性シート）
３０  シールド部材開閉手段
３１  シールド部材開閉手段を構成するドラム
３２  シールド部材開閉手段を構成するドラム回転機構
４０  開閉手段支持部材としての支持ケース
４１  導電性接地部材としての導電性ブラシ
５０，６０，７０  ガイド部材としてのシートガイド
５０Ｂ，６０Ｂ，７０Ｂ  部材移動用溝部としての支持棒用ガイド溝
５０Ｃ，６０Ｃ，７０Ｃ  シールド用溝部としてのシート用ガイド溝
５０Ｄ，７０Ｅ  垂直部
５１  滑り部材
５２  導電性接地部材としてのガスケット
【図１】
0004746994.tif 000002
【図２】
0004746994.tif 000003
【図３】
0004746994.tif 000004
【図４】
0004746994.tif 000005
【図５】
0004746994.tif 000006
【図６】
0004746994.tif 000007
【図７】
0004746994.tif 000008
【図８】
0004746994.tif 000009
【図９】
0004746994.tif 000010
【図１０】
0004746994.tif 000011
【図１１】
0004746994.tif 000012
【図１２】
0004746994.tif 000013
【図１３】
0004746994.tif 000014
【図１４】
0004746994.tif 000015
【図１５】
0004746994.tif 000016
【図１６】
0004746994.tif 000017
【図１７】
0004746994.tif 000018
【図１８】
0004746994.tif 000019
【図１９】
0004746994.tif 000020